(57)【要約】【課題】幅木材自体に幅木材と足場板との間に生じた隙間を解消する機能を持たせることによって仮設足場の足場板付近の安全性をより高めることができる仮設足場の幅木材を提供する。【解決手段】仮設足場に固定され足場板６０の側部に配置される幅木材１０であって、一定の本体高さ幅（Ｈ）を有し、その両側に仮設足場の横柱へのフック部１８を設けた幅木板本体１１と、幅木板本体の内側１２に本体高さ幅（Ｈ）より低い幅（Ｍ）の補助板材２０が足場板側に対して倒置可能に内装しており、幅木板本体が下部に断面コ字状の溝部を有し、補助板材の下部には溝部に収容される突状部が形成され、補助板材の倒置時には該突状部と溝部とを係合するようにした。【選択図】図１
2010255332.tif 000002
【特許請求の範囲】
【請求項１】
仮設足場に固定され足場板の側部に配置される幅木材であって、
一定の本体高さ幅（Ｈ）を有する幅木板本体と、
前記幅木板本体の内側に前記本体高さ幅（Ｈ）より低い幅（Ｍ）の補助板材が足場板側に対して倒置可能に内装されていることを特徴とする仮設足場の幅木材。
【請求項２】
前記幅木板本体が下部に断面コ字状の溝部を有し、前記補助板材の下部には前記溝部に収容される突状部が形成され、補助板材の倒置時には該突状部と前記溝部とが係合するようになっている請求項１に記載の仮設足場の幅木材。
【請求項３】
前記幅木板本体の両側に仮設足場の横柱へのフック部が設けられている請求項１又は２に記載の仮設足場の幅木材。
【発明の詳細な説明】
【技術分野】
【０００１】
本発明は、仮設足場の幅木材に関し、特に必要により足場板との隙間を埋めることができる幅木材に関する。
【背景技術】
【０００２】
建築現場等に構築される仮設足場は、支柱と横柱（横架材、腕木、横桟等とも称される）との組み合わせからなる枠組みに足場板が設置されて組み立てられる。足場板は主に横架材上に組み付けられ、仮設足場は出来上がる。このような仮設足場は高所作業を伴うことから、足場の安全性に十分な配慮が必要となる。例えば、作業者による足場板の踏み外し、工具類の落下等を防ぐ必要がある。
【０００３】
そこで、仮設足場における足場板付近の安全性を高めるべく、幅木材等が足場板の片側もしくは両側に設置される。このような幅木材は足場板の長さに等しい長尺の板材からなり、その両端にフック形状等の係合部が備えられ、枠組みの支柱や横柱等と固定される（例えば、特許文献１，特許文献２，特許文献３等参照）。幅木材は現場での取り付けが容易なため、現在では広く普及している。
【０００４】
足場板の横幅は大抵統一されているものの、資材調達等の都合上、現場においては異なる横幅の足場板が混在して設置される場合がある。そのため、足場板の横幅いかんにより、足場板の横に設置される幅木材と、足場板との隙間が広がってしまうことがある。
【０００５】
しかしながら、各特許文献に開示されている幅木材にあっては、幅木材自体に幅木材と足場板との間に生じた隙間を解消する機能を備えたものは無く、幅木材と足場板との隙間の解消を図り安全性をより向上させた構成は未だに存在しなかった。そこで、仮設足場の足場板付近の安全性確保、特に足場板との隙間の解決が課題となっていた。
【先行技術文献】
【特許文献】
【０００６】
【特許文献１】特開２００２−２２７４０２号公報
【特許文献２】特開２００６−１６９９０２号公報
【特許文献３】特開２００７−９２３５２号公報
【発明の概要】
【発明が解決しようとする課題】
【０００７】
本発明は、上記状況に鑑み提案されたものであり、幅木材自体に幅木材と足場板との間に生ずることのある隙間を解消する機能を持たせることによって仮設足場の足場板付近の安全性をより高めることができる仮設足場の幅木材を提供する。
【課題を解決するための手段】
【０００８】
すなわち、請求項１の発明は、仮設足場に固定され足場板の側部に配置される幅木材であって、一定の本体高さ幅（Ｈ）を有する幅木板本体と、前記幅木板本体の内側に前記本体高さ幅（Ｈ）より低い幅（Ｍ）の補助板材が足場板側に対して倒置可能に内装されていることを特徴とする仮設足場の幅木材に係る。
【０００９】
請求項２の発明は、前記幅木板本体が下部に断面コ字状の溝部を有し、前記補助板材の下部には前記溝部に収容される突状部が形成され、補助板材の倒置時には該突状部と前記溝部とが係合するようになっている請求項１に記載の仮設足場の幅木材に係る。
【００１０】
請求項３の発明は、前記幅木板本体の両側に仮設足場の横柱へのフック部が設けられている請求項１又は２に記載の仮設足場の幅木材に係る。
【発明の効果】
【００１１】
請求項１の発明に係る仮設足場の幅木材によると、仮設足場に固定され足場板の側部に配置される幅木材であって、一定高さ幅（Ｈ）を有する幅木板本体と、前記幅木板本体の内側に本体高さ幅（Ｈ）より低い幅（Ｍ）の補助板材が足場板側に対して倒置可能に内装されているため、幅木材自体によって仮設足場の幅木材と足場板との間に生ずることのある隙間を塞ぐことができ、足場板付近の安全性をより高めることが可能となる。また、幅木材と足場板との隙間を塞ぐための他の資材を必要としないことから、作業現場における資材数の抑制が可能となる。
【００１２】
請求項２の発明に係る仮設足場の幅木材によると、請求項１の発明において、前記幅木板本体が下部に断面コ字状の溝部を有し、前記補助板材の下部には前記溝部に収容される突状部が形成され、補助板材の倒置時には該突状部と前記溝部とが係合するようになっているため、補助板材の使用時において安易に補助板材が幅木板本体から外れなくなる。
【００１３】
請求項３の発明に係る仮設足場の幅木材によると、請求項１又は２の発明において、前記幅木板本体の両側に仮設足場の横柱へのフック部が設けられているため、仮設足場の横柱への取り付けを容易に行うことができる。
【図面の簡単な説明】
【００１４】
【図１】本発明の一実施例に係る仮設足場の幅木材の全体斜視図である。
【図２】仮設足場の幅木材の主要部拡大斜視図である。
【図３】補助板材の収容状態を示す斜視図である。
【図４】補助板材の倒置状態を示す斜視図である。
【図５】幅木材と仮設足場との固定状態を示す斜視図である。
【図６】幅木材の左側面図である。
【図７】図６の連結時の左側部分断面図である。
【図８】他の実施例に係る仮設足場の幅木材の主要部拡大斜視図である。
【図９】さらに他の実施例に係る仮設足場の幅木材の主要部拡大斜視図である。
【図１０】図９の幅木材における補助板材の収容状態を示す斜視図である。
【発明を実施するための形態】
【００１５】
図１の全体斜視図、図２の主要部拡大斜視図と共に、本発明の仮設足場の幅木材を説明する。この幅木材１０は長尺の板部材であり、仮設足場の安全措置の一環として仮設足場１に固定された足場板６０の側部に配置される。
【００１６】
請求項１の発明に規定するように、幅木材１０は、一定の本体高さ幅Ｈの幅木板本体１１を有する。幅木板本体１１の内側１２に該幅木板本体１１の高さよりも低い幅Ｍの補助板材２０が内装されている。図１の破線で示した補助板材２０のように、足場板６０に対して倒置可能となっている。幅木板本体１１の長手方向全体を通じて、その下部１３に断面「コ」字状の溝部（下部側溝部１４）が形成される。図示の例では、幅木板本体１１の上部１５にも断面コ字状の溝部（上部側溝部１６）が形成される。
【００１７】
幅木材１０にあっては、請求項３の発明に規定するように、幅木板本体１１の両側１７には、仮設足場１の横柱３へ取り付けるためのフック部１８が連結板部材３０に接続されて設けられている。図示の実施例では、左端側１７ａに装着された左側連結板部材３１を介して左側フック部１８ａが設けられ、同様に右端側１７ｂに装着された右側連結板部材３２を介して右側フック部１８ｂが設けられている。フック部により、仮設足場１の横柱３への取り付けは容易となる。図２から把握されるように、幅木板本体、左右の連結板部材、及びフック部の固定にはボルト４１、ナット４２が用いられる。この他に、リベットによる固定、溶接等も用いられる。なお、前記の横柱３は横架材、腕木、横桟等とも称される。
【００１８】
連結板部材３０の上側には、断面「く」の字状に屈曲した重合板部材３５が備えられる。図示の左側連結板部材３１の上側には、断面「く」の字状に屈曲した左側重合板部材３３が形成され、右側連結板部材３２の上側にも、相補的に重なり合うように右側重合板部材３４が形成される。また、左側連結板部材３１及び右側連結板部材３２のそれぞれには、穴部３８を有するクリップ受け部３９が備えられる。左側連結板部材３１、右側連結板部材３２等の作用は後述する。
【００１９】
図３、図４を用い足場板６０に対する補助板材２０の倒置の状態を説明する。図示では幅木材１０の左端側１７ａにおいて左側連結板部材３１等を取り外し幅木板本体１１内部の構造を開示する。請求項２の発明に規定するように、幅木板本体１１の下部１３に断面コ字状の溝部（下部側溝部１４）が設けられる。補助板材２０の下部２３には下部側溝部１４に収容される突状部２４が形成される。突状部２４も断面コ字状の溝部である。図の符号Ｈは幅木板本体の本体高さ幅であり、Ｍは補助板材の幅である。
【００２０】
実施例の補助板材２０では、１枚の長尺の鋼板を折り曲げることにより、曲げ板部２２と前記の突状部２４が形成される。補助板材２０の突状部２４は下部側溝部１４に収容されることから、下部側溝部１４は突状部２４の幅よりも十分に大きく形成される。そのため、図３、図４のとおり、補助板材２０を倒置する際の回動が円滑となる。符号２１は補助板材の板部、６１は足場板の上板部である。
【００２１】
図３に示しているように、足場板６０の横幅いかんにより、幅木材（幅木板本体１１）と足場板６０とは、隙間Ｓａの長さ分だけ離れてしまう場合がある。そこで図４のとおり、幅木材（幅木板本体）と足場板との隙間Ｓａを埋め合わせるため、幅木板本体１１内に格納されている補助板材２０は、突状部２４を回動の中心にして足場板６０に向けて倒される。この結果、補助板材の板部２１、曲げ板部２２が、足場板６０の上板部６１、縁部６２に到達する。そこで、幅木材自体によって、幅木材（幅木板本体）と足場板との隙間Ｓａは塞がれる。自明ながら、幅木材と足場板との隙間を塞ぐための他の資材を必要としない。よって、作業現場における資材数の抑制が可能となる。むろん、幅木材（幅木板本体）と足場板との間隔によっては、補助板材２０が倒されない場合もある。
【００２２】
補助板材２０の倒置時においても、突状部２４と下部側溝部１４とが係合しているため、安易に補助板材２０が幅木板本体１１から外れないようになっている。実施例にあっては、下部側溝部１４の端部に溝縁部１４ｆが設けられ、断面コ字状の突状部２４が溝縁部１４ｆに引っかかるため、幅木板本体と足場板との係合状態は維持される。図示しないが、補助板材と幅木板本体との係合に際し、補助板材の端部と幅木板本体の下部とを公知の蝶番により接続して補助板材を回動させることができる。また、幅木板本体の下部に適宜の回動軸を配置し、これに補助板材の端部を接続して双方の回動を容易としてもよい。
【００２３】
これより幅木材１０と仮設足場１との固定の様子を説明する。図５の斜視図に示した実施例の足場板６０では、仮設足場１の横柱３に足場板フック部６８を介して設置される。続いて幅木材１０を仮設足場１に固定するに際し、幅木板本体１１の両側１７（左端側１７ａ，右端側１７ｂ）にそれぞれ設けられているフック部１８（左側フック部１８ａ，右側フック部１８ｂ）を介して横柱３に設置される。
【００２４】
図示から把握できるように、紙面右側の幅木材１０のフック部１８（左側フック部１８ａ）に、紙面左側の幅木材１０のフック部１８（右側フック部１８ｂ）が重ね合わされる。同時に、左側フック部１８ａを備える左側連結板部材３１に、右側フック部１８ｂを備える右側連結板部材３２が重ね合わされる。すなわち、幅木材１０，１０の端部同士の接合部位において、互いに差し込まれるようにして連結される。
【００２５】
互いの幅木材が仮設足場の所定位置に設置された後、支柱２の背後に該支柱と当接する幅木用クリップ部材５０が介装される。幅木用クリップ部材５０は２本の脚部５１，５１を有して折り曲げられたＵ字状（Ｖ字状）の部材である。幅木用クリップ部材５０の脚部５１，５１は、左側連結板部材３１のクリップ受け部３９及び右側連結板部材３２のクリップ受け部３９の穴部３８にそれぞれ挿入される。こうして、幅木材１０，１０は仮設足場１の横柱３上に互いに連結し合って配置され、幅木用クリップ部材５０を介して支柱２とも固定される。ゆえに、幅木材１０，１０の仮設足場１への固定は強固となる。
【００２６】
次に図６、図７を用い幅木材同士の連結状況を説明する。図６は幅木材１０を幅木板本体１１の左端側１７ａから見た際の左側面図であり、まず、一の幅木材１０を仮設足場１の横柱３に係合した状況である。幅木材１０において、紙面左側から、幅木板本体１１の本体高さ幅を構成する側板部１９、左側連結板部材３１、左側フック部１８ａの順に適度な間隔を置いて並設される。間隔はボルト４１や図示しないワッシャ等により調整される。なお、図示では便宜上、前記のクリップ受け部を省略した。
【００２７】
図７は、図６の幅木材１０にさらに他の幅木材を仮設足場１の横柱３に係合した状態である。一の幅木材１０の左側フック部１８ａの右横に他の幅木材の右側フック部１８ｂが並置される（図５参照）。そして、他の幅木材の右側連結板部材３２が、一の幅木材の左側連結板部材３１と左側フック部１８ａとの間に形成された隙間Ｓｊの中に挿入される。左側連結板部材３１に右側連結板部材３２が重ね合わされる（図５の別視点のとおりである。）。また、両連結板部材の上部においても、一の幅木材の左側重合板部材３３に他の幅木材の右側重合板部材３４が重ね合わされる。
【００２８】
左側重合板部材３３には断面く字状に屈曲形成され正面辺部３３ｐが形成される。また、右側重合板部材３４には前記の左側重合板部材３３の正面辺部３３ｐと重なり合う断面く字状に屈曲形成された背面辺部３４ｑが形成される。このため、左側重合板部材３３と右側重合板部材３４との表裏の重なりにより、右側連結板部材３２を左側連結板部材３１に組み合わせる際の位置決めは容易となる。
【００２９】
加えて、左右の重合板部材の辺部同士は断面く字状であることから、いったん左右の重合板部材同士で組み合わさった後は容易に上下に移動し難くなり、左側連結板部材に重なられる右側連結板部材の上下方向の位置ずれを抑制できる。図示から把握されるように、他の幅木材において、右側連結板部材３２及び右側フック部１８ｂは、連結対象となる一の幅木材１０の側板部１９、左側連結板部材３１、左側フック部１８ａと異なる間隔に調整されてなる。なお、幅木材は仮設足場に連続して配置される。そこで、一の幅木材の幅木板本体１１の左端側１７ａと右端側１７ｂにおいて、側板部、連結板部材、フック部は、左右で重なり合って組み合わされる量だけ互いにずらした間隔に形成される。
【００３０】
図８の斜視図は他の実施例に係る仮設足場の幅木材１０Ａの主要部を開示する。幅木材１０Ａでは、左側連結板部材３１に保持片部材４５が備えられる。実施例の保持片部材４５は、ボルト４１、ナット４２間に回動可能に介装される。幅木板本体１１の内側１２に内装された補助板材２０が不使用時に幅木板本体から倒れなくするため、保持片部材４５（実線表記）は、補助板材と当接しその倒置を防いでいる。なお、補助板材２０の使用時、保持片部材４５は矢印の向きに回動され（破線表記）、保持片部材と補助板材との当接は解除される。このため、補助板材の不用意な倒置のおそれは解消される。保持片部材４５は、左側連結板部材３１または右側連結板部材３２のいずれかもしくは両方に備えられる。
【００３１】
図９及び図１０の斜視図はさらに他の実施例に係る仮設足場の幅木材１０Ｂの主要部を開示する。幅木材１０Ｂでは、幅木板本体１１の下部１３に断面コ字状の溝部（下部側溝部１４Ｂ）が設けられており、下部側溝部１４Ｂは前掲の実施例の下部側溝部１４よりも深く形成されている。つまり、深溝下部側溝部となる。溝部自体を深くすることにより、不使用時の補助板材２０（その下部２３の突状部２４）は、下部側溝部１４Ｂの深さＤｐに応じて、より深く幅木板本体１１の下部側溝部１４Ｂの内部に収容される（図１０参照）。
【００３２】
図示のとおり、深溝の下部側溝部１４Ｂとしたことにより、幅木板本体１１の内側１２に内装されている不使用時の補助板材２０の重心位置も低くなる。そこで、補助板材２０が倒置しようとしても、先に補助板材の板部２１が溝壁部１４ｗ、図示では溝縁部１４ｆに当接して補助板材の倒置は抑制される。補助板材の収容しているときの補助板材のがたつきを防ぐために、下部側溝部１４Ｂの深さＤｐ、溝縁部１４ｆの長さは最適に設定される。こうして、補助板材の不用意な倒置のおそれは解消される。
【００３３】
補助板材２０を使用する場合、いったん補助板材は垂直方向に持ち上げられる。補助板材の突状部２４が溝縁部１４ｆと接触したところで幅木板本体１１の内側１２からその外へ向けて倒される。収容時はこの逆である。
【００３４】
各実施例に開示の幅木材１０，１０Ａ，１０Ｂにあっては、単独で構成しても、それぞれを組み合わせても良い。また、幅木板本体の本体高さ幅Ｈ、補助板材の幅Ｍ等は施工対象となる仮設足場に応じて適宜の寸法となる。各図において、共通する箇所は同一符号とした。
【符号の説明】
【００３５】
１  仮設足場
３  横柱
１０，１０Ａ，１０Ｂ  幅木材
１１  幅木板本体
１２  幅木板本体の内側
１４  溝部（下部側溝部）
１８  フック部
１８ａ  左側フック部
１８ｂ  右側フック部
２０  補助板材
２４  突状部
３０  連結板部材
３１  左側連結板部材
３２  右側連結板部材
３３  左側重合板部材
３４  右側重合板部材
３５  重合板部材
６０  足場板
Ｈ  本体高さ幅
Ｍ  補助板材の幅
【図１】
2010255332.tif 000003
【図２】
2010255332.tif 000004
【図３】
2010255332.tif 000005
【図４】
2010255332.tif 000006
【図５】
2010255332.tif 000007
【図６】
2010255332.tif 000008
【図７】
2010255332.tif 000009
【図８】
2010255332.tif 000010
【図９】
2010255332.tif 000011
【図１０】
2010255332.tif 000012